(57)【特許請求の範囲】
【請求項１】
楽器本体内に配置された鍵盤を含む演奏部を開閉するための鍵盤楽器の鍵盤蓋装置であって、
回動軸を有する鍵盤蓋と、
前記楽器本体に設けられ、前記回動軸との間に所定の摩擦抵抗を持たせた状態で、前記鍵盤蓋を前記回動軸を介して、前記演奏部を閉鎖する閉鎖位置と、開放する開放位置との間で回動自在に支持する軸受と、
前記鍵盤蓋を前記開放位置側へ付勢する付勢手段と、を備え、
前記演奏部は、前記楽器本体に取り付けられ、前記楽器本体内の少なくとも一部を覆う閉鎖位置と、開放する開放位置との間で回動自在な操作パネル部を有し、
前記軸受および前記付勢手段は、前記操作パネル部に取り付けられていることを特徴とする鍵盤楽器の鍵盤蓋装置。
【請求項２】
前記付勢手段は、前記開放位置および前記閉鎖位置の間の所定角度の中間位置と前記閉鎖位置との間においてのみ、前記鍵盤蓋に係合することによって、前記鍵盤蓋を付勢するように構成されていることを特徴とする請求項１に記載の鍵盤楽器の鍵盤蓋装置。
【請求項３】
楽器本体に取り付けられ、この楽器本体内の少なくとも一部を覆う閉鎖位置と開放する開放位置との間で回動自在な操作パネル部および鍵盤を含む演奏部を開閉するための鍵盤楽器の鍵盤蓋装置であって、
回動軸を有する鍵盤蓋と、
前記操作パネル部に取り付けられ、前記鍵盤蓋を前記回動軸を介して前記演奏部を閉鎖する閉鎖位置と、開放する開放位置との間で回動自在に支持する軸受と、
を備えることを特徴とする鍵盤楽器の鍵盤蓋装置。
【発明の詳細な説明】
【０００１】
【発明の属する技術分野】
本発明は、特に、比較的、大きな面積の鍵盤蓋によって演奏部を開閉する鍵盤楽器の鍵盤蓋装置に関する。
【０００２】
【従来の技術】
従来、比較的、大きな面積の演奏部を備えた鍵盤楽器として、例えば前後２段の鍵盤と操作パネルとを斜め後上がりに配置した演奏部を備えた電子オルガンが知られている。このような電子オルガンでは、メンテナンス時に、後段の鍵盤および操作パネルをそれぞれ上方に跳ね上げるように回動させることによって、その内部のメンテナンス作業を行うものが一般的である。このような電子オルガンの鍵盤蓋装置として、▲１▼スライド自在に設けられた蛇腹式の鍵盤蓋を備え、この鍵盤蓋を、電子オルガンの使用時にオルガン本体内に格納し、不使用時にオルガン本体から引き出すようにしたものがある。このような鍵盤蓋装置では、操作パネルを上方に回動させると、格納した鍵盤蓋と干渉するため、上記メンテナンス作業は、鍵盤蓋が邪魔にならないように、鍵盤蓋をオルガン本体から取り外した状態で行われる。
【０００３】
また、上記と異なるタイプの電子オルガンの鍵盤蓋装置として、▲２▼１枚の鍵盤蓋をその後端部を中心として水平軸線回りに上下方向に回動させることによって、演奏部を開閉するものが知られている。
【０００４】
【発明が解決しようとする課題】
近年では、国内の住宅事情による設置スペースの確保の観点から、鍵盤楽器の小型化・薄型化が要求されている。しかし、上記▲１▼の鍵盤蓋装置によれば、蛇腹式の鍵盤蓋を格納するために、格納スペースをオルガン本体内に設ける必要があるので、その格納スペースの分だけオルガン本体の奥行が大きくなり、その結果、電子オルガンが大型化してしまう。これに加えて、メンテナンス時に、鍵盤蓋をオルガン本体から取り外さなければならないので、作業性がよくないという問題がある。
【０００５】
また、上記▲２▼の鍵盤蓋装置では、１枚の鍵盤蓋の上下方向の回動によって演奏部を開閉しているので、上記▲１▼の鍵盤蓋装置と異なり、オルガン本体内に鍵盤蓋の格納スペースを設ける必要がないことから、オルガン本体の奥行が大きくなることはない。しかしながら、▲２▼の鍵盤蓋装置の鍵盤蓋は、演奏部の面積が大きいことに伴う大型化によって、その重量がかなり重くなってしまうので、鍵盤蓋が急激に閉じることによって、その破損などの不具合を招くおそれがある。このような不具合を回避するために、例えば小型の鍵盤楽器で用いられているような、鍵盤蓋の回動軸と軸受との間に比較的、大きな摩擦抵抗を持たせて、鍵盤蓋を減速させるようにした鍵盤蓋装置を採用することが考えられる。しかし、この場合には、かなり重い鍵盤蓋を減速できるようにするために、摩擦抵抗もかなり大きく設定する必要がある。それゆえ、手動で鍵盤蓋を開閉する際、特に開放の際にその重量と、かなり大きな摩擦抵抗とに抗しながら鍵盤蓋を回動させなければならないため、大きな操作力が必要になり、鍵盤蓋の開閉時の操作性がよくない。
【０００６】
本発明は、上記課題を解決するためになされたもので、鍵盤楽器のコンパクト化を図ることができ、メンテナンス時の作業性および開閉時の操作性をともに向上させることができる鍵盤楽器の鍵盤蓋装置を提供することを目的とする。
【０００７】
【課題を解決するための手段】
この目的を達成するために、請求項１に係る発明は、楽器本体内に配置された鍵盤を含む演奏部を開閉するための鍵盤楽器の鍵盤蓋装置であって、回動軸を有する鍵盤蓋と、楽器本体に設けられ、回動軸との間に所定の摩擦抵抗を持たせた状態で、鍵盤蓋を回動軸を介して、演奏部を閉鎖する閉鎖位置と、開放する開放位置との間で回動自在に支持する軸受と、鍵盤蓋を開放位置側へ付勢する付勢手段と、を備え、演奏部は、楽器本体に取り付けられ、楽器本体内の少なくとも一部を覆う閉鎖位置と、開放する開放位置との間で回動自在な操作パネル部を有し、軸受および付勢手段は、操作パネル部に取り付けられていることを特徴とする。
【０００８】
この鍵盤楽器の鍵盤蓋装置によれば、鍵盤蓋を手動で開放位置から閉鎖位置に閉鎖する際に、鍵盤蓋は、回動軸と軸受の間に作用する摩擦抵抗と、付勢手段の付勢力による付勢抵抗とによって減速されるので、鍵盤蓋を従来と同様に緩やかに閉鎖することができる。このように、摩擦抵抗と付勢抵抗が回動抵抗として作用するので、付勢抵抗の分、摩擦抵抗を従来よりも小さく設定できる。また、鍵盤蓋を開放する際には、付勢手段の付勢力が操作力として付加されることから、開放動作に必要な操作力は、付勢手段の付勢力分だけ小さくなるとともに、摩擦抵抗自体も、上記のように従来よりも小さく設定できる。したがって、鍵盤蓋を従来よりも小さな操作力で開放できることによって、比較的、大きな面積を有する重量の重い鍵盤蓋において、その開放時の操作性を向上させることができる。また、鍵盤蓋が回動式であるので、従来の蛇腹式の鍵盤蓋を備えた鍵盤楽器と比べて、楽器本体の奥行を小さくでき、それゆえ、鍵盤楽器のコンパクト化を図ることができる。なお、ここで言う軸受および回動軸は、例えば軸受が凸部を有し、回動軸がこの軸受の凸部に係合する凹部を有するものなどを含み、回動軸側が軸受に対して相対的に回動自在な構成を全て含む。
また、操作パネル部を閉鎖位置から開放位置に回動させることにより、楽器本体内の少なくとも一部が開放される。さらに、鍵盤蓋を支持する軸受が、この操作パネル部に取り付けられている。したがって、操作パネル部の回動に従って、鍵盤蓋が操作パネル部とともに後方に回動する。これによって、従来と異なり、鍵盤蓋を楽器本体から取り外すことなく、メンテナンス作業を行うことができるので、メンテナンス性を向上させることができる。また、軸受とともに付勢手段が操作パネル部に取り付けられていることによって、鍵盤蓋を開閉するための構造を１箇所にまとめることができ、それにより、鍵盤楽器をより一層、コンパクト化することができる。
【０００９】
上記において、付勢手段は、開放位置および閉鎖位置の間の所定角度の中間位置と閉鎖位置との間においてのみ、鍵盤蓋に係合することによって、鍵盤蓋を付勢するように構成されていることが好ましい。
【００１０】
この鍵盤楽器の鍵盤蓋装置によれば、鍵盤蓋を開放位置から閉鎖する際に、開放位置と中間位置の間では、摩擦抵抗のみが鍵盤蓋に作用し、中間位置と閉鎖位置の間では、摩擦抵抗に加えて付勢抵抗が鍵盤蓋に作用する。この場合、付勢手段の変位量は、鍵盤蓋の中間位置を基準とした閉鎖位置側への回動量に比例して増大するので、付勢抵抗は、鍵盤蓋が閉鎖位置（すなわち閉じ終り位置）に近づくのに従って大きくなる。これによって、鍵盤蓋を閉じ終り付近で効果的に減速することができる。また、鍵盤蓋を閉鎖位置から開放する際には、開放するための操作力として付加される付勢力は、鍵盤蓋の開き始めにおいて、付勢手段の変位量が最大になることから最大になるので、鍵盤蓋の開き始めに必要な操作力を効果的に小さくすることができる。以上のように、中間位置と閉鎖位置の間の鍵盤蓋の閉じ終りおよび開き始めにのみ、付勢手段の付勢力を作用させることによって、鍵盤蓋の閉じ終りおよび開き始めにおける操作性を効果的に向上させることができる。さらに、上記のように、付勢手段の付勢力を常に作用させる必要がなく、上記の限られた範囲でのみ作用させればよいので、付勢手段を効果的に利用できるとともに、付勢手段の変位量すなわち作動ストローク量を小さくできることから、鍵盤蓋装置をコンパクトにできる。
【００１３】
請求項３に係る発明は、楽器本体に取り付けられ、この楽器本体内の少なくとも一部を覆う閉鎖位置と開放する開放位置との間で回動自在な操作パネル部および鍵盤とを含む演奏部を開閉するための鍵盤楽器の鍵盤蓋装置であって、回動軸を有する鍵盤蓋と、操作パネル部に取り付けられ、鍵盤蓋を回動軸を介して演奏部を閉鎖する閉鎖位置と、開放する開放位置との間で回動自在に支持する軸受と、を備えることを特徴とする。
【００１４】
この鍵盤楽器の鍵盤蓋装置によれば、請求項１と同様に、鍵盤蓋を楽器本体から取り外すことなく、メンテナンス作業を行うことができるので、メンテナンス性を向上させることができる。また、鍵盤蓋を開閉するための構造を１箇所にコンパクトにまとめることができる。
【００１５】
【発明の実施の形態】
以下、図面を参照しながら、本発明の一実施形態に係る鍵盤楽器の鍵盤蓋装置について説明する。図１および図２は、本実施形態の鍵盤蓋装置１を適用した鍵盤楽器としての電子オルガン２を示している。この電子オルガン２は、楽器本体としてのオルガン本体３と、オルガン本体３の演奏部４を開閉するための鍵盤蓋装置１と、を備えている。オルガン本体３は、鋼材や合成樹脂板などによって作製されており、前後２段の鍵盤５，５および操作パネル６（操作パネル部）を有する演奏部４と、演奏部４およびその後側の背面パネル７の外側に前後方向に延びる左右の腕木８，８と、これら腕木８，８からそれぞれ下方に延びる左右の側板９，９などを備えている。
【００１６】
演奏部４の前後の鍵盤５，５は、ともに左右方向に延びるように配置されており、前鍵盤５はオルガン本体３の前端部に、後鍵盤５は前鍵盤５の後斜め上方にそれぞれ配置されている。前後の鍵盤５，５の左端部と左腕木８の間には、左操作パネル５ａが、オルガン本体３の前端部から斜め後上がりに所定幅で延びており、この左操作パネル５ａは、後鍵盤５と一体に組み立てられている。左操作パネル５ａは、オルガン本体３に斜め後上がりの状態で固定されており、この固定を解除することにより、図７に示すように、左操作パネル５ａの後端部を中心として、後鍵盤５とともに上方に回動可能になっている。これら左操作パネル５ａおよび後鍵盤５の回動によって、オルガン本体３の前側内部が開放される。この左操作パネル５ａには、多数のスイッチ５ｂが設けられている。
【００１７】
また、操作パネル６は、後鍵盤５の後上端部の付近から斜め後上がりに後方に延びている。この操作パネル６には、上記左操作パネル５ａのスイッチ５ｂと同様の多数のスイッチ６ａが設けられている。これらのスイッチ６ａおよびスイッチ５ｂを操作することによって、鍵盤５が押鍵されたときにオルガン本体３内の音響装置から発生する音の音色などが調節される。
【００１８】
さらに、図３および図５〜図６に示すように、操作パネル６の上端よりも後側には、斜め後下がりに延び、さらに下方に折れ曲がる後壁部と、後壁部の下端から後方に直角に折れ曲がって延びる連結部とが形成されている。操作パネル６の連結部は、ヒンジ６ｂを介して背面パネル７の上端部に連結されている。これにより、操作パネル６は、ヒンジ６ｂを中心として、オルガン本体３の後側内部を覆う閉鎖位置（図１に示す位置）と、開放する開放位置（図７に示す位置）との間で回動自在である。また、操作パネル６は、後述するように、閉鎖位置にある状態でオルガン本体３にねじ止めされており、メンテナンス時などに、このねじを外すことによって、開放位置に回動可能になる。さらに、背面パネル７は、操作パネル６の後端部に連続して斜め後下がりに延び、さらに下方に折れ曲がって延びている。
【００１９】
また、図３〜図７に示すように、鍵盤蓋装置１は、左右の支持アーム１０，１０（１つのみ図示）と、各支持アーム１０の一端部に一体に取り付けられた前鍵盤蓋１１（鍵盤蓋）と、前鍵盤蓋１１に連結された後鍵盤蓋１２とを備えている。各支持アーム１０は、細長い板状のものであり、後述するように、その他端側の連結端部において、図２に実線で示す閉鎖位置と、同図に符号Ａで示す開放位置との間で水平軸線回りに回動自在に、操作パネル６に取り付けられている。前後の鍵盤蓋１１，１２は、腕木８，８間の幅とほぼ同じ幅を有しており、互いに水平軸線回りに回動自在に連結されている。支持アーム１０が回動するときに、前鍵盤蓋１１は、支持アーム１０と一体に回動し、後鍵盤蓋１２は、オルガン本体３上を前後方向にスライドする。図２に示すように、支持アーム１０が閉鎖位置にあるときに、鍵盤蓋１１，１２は、互いに一直線状に斜め前下がりに延びるとともに、その状態でオルガン本体３上に載置されることによって、演奏部４を閉鎖する。また、支持アーム１０が開放位置にあるときに、前鍵盤蓋１１は斜め後上がりに延びた状態に保持され、後鍵盤蓋１２は、その下端部が背面パネル７の表面に当接するとともに、前鍵盤蓋１１に対して「く」字状に斜め後下がりの状態に保持される。
【００２０】
さらに、支持アーム１０は、操作パネル６と腕木８の間の隙間に配置され、腕木８の内面に沿って延びており、その上記連結端部が、連結機構２０を介して操作パネル６に取り付けられている。これら支持アーム１０および連結機構２０は、左右対称に設けられており、以下、片側の支持アーム１０および連結機構２０について説明する。連結機構２０は、ベース２１と、ベース２１に取り付けられた回動軸機構２２とを備えている（図３〜図４参照）。
【００２１】
ベース２１は、鋼板を曲げ加工および切削加工することによって作製され、上下方向に延びる側壁部２１ａと、この側壁部２１ａの上端から腕木８側に直角に折れ曲がった上壁部２１ｂと、側壁部２１ａの後端部から腕木８側に直角に折れ曲がった後ステー２１ｃとを備えている。上壁部２１ｂは、互いに所定間隔で配置された３つの孔２１ｄを有しており、操作パネル６は、これら３つの孔２１ｄに対応する３つボス６ｃを有している。各ボス６ｃは、操作パネル６の内面から下方に突出し、図示しない雌ねじを有している。また、後ステー２１ｃは、上下２つの雌ねじ孔２１ｅ，２１ｅを有しており、これらの雌ねじ孔２１ｅ，２１ｅに対応する２つの孔６ｄ，６ｄが、操作パネル６の後縦壁部に形成されている。ベース２１は、ねじＮを孔２１ｄに通し、ボス６ｃの雌ねじに螺合させると同時に、ねじ（図示せず）を操作パネル６の孔６ｄに通し、雌ねじ孔２１ｅに螺合させることによって、操作パネル６に取り付けられている。
【００２２】
また、ベース２１は、２つの横ステー２１ｆ，２１ｆを有しており、これらの横ステー２１ｆ，２１ｆはそれぞれ、側壁部２１ａの後下端部および上壁部１２ｂの前端部から腕木８側に突出し、さらに下方に直角に折れ曲がっている。横ステー２１ｆ，２１ｆはそれぞれ、雌ねじ孔２１ｇ，２１ｇを有しており、腕木８は、これらの雌ねじ孔２１ｇ，２１ｇに対応する位置に形成した貫通孔８ａ，８ａを有している。ベース２１は、長ねじＮ１を腕木８の貫通孔８ａに通し、横ステー２１ｆの雌ねじ孔２１ｇに螺合させることによって、腕木８に固定されている。
【００２３】
さらに、側壁部２１ａの中央部に、前述した回動軸機構２２が取り付けられている。図３〜図４に示すように、回動軸機構２２は、回動軸２２ａと、この回動軸２２ａを回動自在に支持する軸受２２ｂと、軸受２２ｂを側壁部２１ａに取り付けるための取付板２２ｃと、を備えている。取付板２２ｃは、上下２枚の鋼板を軸受２２ｂを間にして一体にねじ止めしたものであり、これによって、軸受２２ｂを上下２枚の鋼板の間に堅固に挟持している。また、取付板２２ｃは、その腕木８側の端部から下方に直角に折れ曲がった３つのステー２２ｄを有しており、各ステー２２ｄには、雌ねじ孔が形成されている。一方、ベース２１の側壁部２１ａは、各ステー２２ｄの雌ねじ孔に対応する位置に孔を有しており、この孔にねじＮを通し、ステー２２ｄの雌ねじ孔に螺合させることによって、取付板２２ｃは側壁部２１ａに取り付けられている。以上によって、回動軸機構２２がベース２１に取り付けられている。
【００２４】
また、軸受２２ｂは、合成樹脂で構成され、左右方向に貫通する断面円形の孔を有している。回動軸２２ａは、断面円形で、軸受２２ｂの孔に抜け止め状態で嵌合しており、軸受２２ｂに対して相対的に回動するときに、互いの間に所定の摩擦抵抗が生じるような状態で軸受２２ｂに保持されている。また、回動軸２２ａは、側壁部２１ａの孔を通って腕木８側に突出する板状の取付部を有しており、この取付部には、２つのＬ字状の連結金具２２ｅ，２２ｅが取り付けられている。具体的には、連結金具２２ｅ，２２ｅの一辺部は、回動軸２２ａの取付部の表裏面に２つのねじＮ，Ｎを介して取り付けられ、各連結金具２２ｅの他辺部は、回動軸２２ａに対して直角に延びるとともに、左右方向に貫通する雌ねじ孔２２ｆを有している。一方、上記支持アーム１０の連結端部には、連結金具２２ｅ，２２ｅの雌ねじ孔２２ｆ，２２ｆに対応する位置に、２つの孔１０ａ，１０ａがそれぞれ形成されている。これらの孔１０ａ，１０ａにねじＮ，Ｎをそれぞれ通し、雌ねじ孔２２ｆ，２２ｆにそれぞれ螺合させることによって、支持アーム１０は、側壁部２１ａから所定距離、離れた状態で、回動軸２２ａの先端部に連結されている（図４（ａ）参照）。
【００２５】
図５および図６に示すように、側壁部２１ａの腕木８側の面には、回動軸２２ａの下方に回動板２３が取り付けられている。この回動板２３は、その上端部を中心として水平軸線回りに回動自在に設けられており、側壁部２１ａの腕木８側の面に沿って回動する。回動板２３は、その後端から腕木８側に直角に折れ曲がった後壁部２３ａと、この後壁部２３ａから前方に直角に折れ曲がったステー２３ｂとを備えており、ステー２３ｂには、孔が形成されている。
【００２６】
一方、ベース２１の前下端部には、腕木８側に直角に折れ曲がったフック２１ｈが形成されており、このフック２１ｈには、前方に開放する切欠きが形成されている。このフック２１ｈの切欠きには、コイルばね２４（付勢手段）の前端部が引っかけられており、さらに、コイルばね２４の後端部は、回動板２３のステー２３ｂの孔を介してステー２３ｂに取り付けられている。このように、回動板２３は、コイルばね２４を介してベース２１に連結されており、その付勢力によって、図中の時計回りに常に付勢されている。また、ベース２１には、回動板２３の前方にストッパ２１ｉが取り付けられている。このストッパ２１ｉは、側壁部２１ａから腕木８側に突出しており、コイルばね２４の付勢力によって回動板２３が時計回りに回動したときに、回動板２３の前端部が確実に当接するような位置に配置されている（図６参照）。
【００２７】
さらに、前述した支持アーム１０の連結端部には、突起１０ｂが形成されている。この突起１０ｂは、前述した開放位置と閉鎖位置の間の所定角度の中間位置（図２に符号Ｂで示す位置、図６に実線で示す位置）において、回動板２３の後壁部２３ａに当接するように配置されており、図５に示すように、支持アーム１０の中間位置から閉鎖位置側への回動に伴って、回動板２３を反時計回りに回動させる。一方、前述した操作パネル６の後壁部には、その内面から前方に突出するストッパ６ｅが設けられており、支持アーム１０は、中間位置から開放位置に回動したときに、このストッパ６ｅに当接することによって、開放位置に保持される。
【００２８】
さらに、オルガン本体３の前下端部には、エクスプレッションペダル１３および足鍵盤１４が設けられている。電子オルガン２の演奏時には、エクスプレッションペダル１３を足で操作することによって発生音の音量や音色が変更され、足鍵盤１４を足で操作することによって、所望の高さの発生音が音響装置から出力される。
【００２９】
以上のように構成された本実施形態の鍵盤蓋装置１の開閉動作について説明する。電子オルガン２を使用しない場合、鍵盤蓋装置１は、図２および図５に実線で示すような閉鎖状態とされ、この閉鎖状態では、支持アーム１０は閉鎖位置にあり、前後の鍵盤蓋１１，１２は、互いに一直線状に斜め後上がりに延びるとともに、演奏部４を閉鎖している。また、回動板２３は、支持アーム１０の突起１０によって後方に押された状態で、図５の実線で示す位置に保持されている。
【００３０】
電子オルガン２を使用するために、閉鎖状態の前鍵盤蓋１１を上方に持ち上げると、前鍵盤蓋１１とともに支持アーム１０が図２の時計回りに回動する。これに連動して、後鍵盤蓋１２は、操作パネル６上を後方に摺動するとともに、回動板２３が、コイルばね２４の付勢力によって支持アーム１０の突起１０ｂの回動に追従しながら、図５の時計回りに回動する。このとき、前鍵盤蓋１１を上方に持ち上げるのに必要な操作力は、コイルばね２４の付勢力分だけ、小さくなる。
【００３１】
支持アーム１０が中間位置（図２の符号Ｂで示す位置）まで時計回りに回動すると、回動板２３がストッパ２１ｉに当接することよって、図６に実線で示す位置に保持される。さらに、支持アーム１０が中間位置から開放位置（図２の符号Ａで示す位置）側に回動すると、支持アーム１０の突起１０ｂが回動板２３から外れる。この後、支持アーム１０は、開放位置まで回動したときに、ストッパ６ｅに当接することによって開放位置に保持され、前鍵盤蓋１１および後鍵盤蓋１２が開放状態に保持される。これによって、演奏部４が開放され、電子オルガン２が演奏可能になる。
【００３２】
上記とは逆に、開放状態の前鍵盤蓋１１を前方に倒すと、前鍵盤蓋１１とともに支持アーム１０が前方に回動し、これに連動して、後鍵盤蓋１２は、操作パネル６上を前方に摺動する。このとき、支持アーム１０は、中間位置までは、回動軸２２ａと軸受２２ｂの間の摩擦抵抗によって減速される。この後、支持アーム１０が中間位置まで回動したときに、その突起１０ｂが回動板２３に当接する。さらに、支持アーム１０が中間位置から閉鎖位置に回動すると、前鍵盤蓋１１および後鍵盤蓋１２が閉鎖状態になることによって、演奏部４が閉鎖される。このように、中間位置から閉鎖位置に回動するときに、支持アーム１０は、上記摩擦抵抗に加えてコイルばね２４の付勢力によって減速される。
【００３３】
次いで、電子オルガン２のメンテナンス時の操作について説明すると、まず、上述したように、前後の鍵盤蓋１１，１２を開放する。次に、腕木８の長ねじＮ１，Ｎ１をそれぞれ、ベース２１の横ステー２１ｆ，２１ｆから取り外す。さらに、図７に示すように、操作パネル６をヒンジ６ｂを介して、操作パネル６の開放位置に回動させることによって、オルガン本体３の後側内部を開放する。このとき、支持アーム１０が操作パネル６に取り付けられていることによって、支持アーム１０および前後の鍵盤蓋１１，１２は、操作パネル６とともに後方に回動する。この後、後鍵盤５のオルガン本体３への固定を解除し、後鍵盤５を上方に回動させることによって、オルガン本体３の前側内部を開放する。以上によって、オルガン本体３内が開放され、メンテナンス作業を行うことができる。
【００３４】
以上詳述したように、本実施形態の鍵盤蓋装置１によれば、前後の鍵盤蓋１１，１２を手動で開放位置から閉鎖位置に閉鎖するときに、前後の鍵盤蓋１１，１２は、開放位置と中間位置の間では、軸受機構２２の回動軸２２ａと軸受２２ｂの間に作用する摩擦抵抗によって減速される。さらに、中間位置と閉鎖位置の間では、摩擦抵抗に加えてコイルばね２４の付勢力による付勢抵抗によって減速される。この場合、コイルばね２４の変位量は、前鍵盤蓋１１の中間位置を基準とした閉鎖位置側への回動量に比例して増大するので、付勢抵抗は、前鍵盤蓋１１が閉鎖位置に近づくのに従って大きくなる。これによって、前後の鍵盤蓋１１，１２を閉じ終り付近で効果的に減速することができる。また、このように、摩擦抵抗と付勢抵抗が回動抵抗として作用するので、付勢抵抗の分、摩擦抵抗を従来よりも小さく設定できる。
【００３５】
また、前後の鍵盤蓋１１，１２を開放するときに、閉鎖位置から中間位置までは、コイルばね２４が支持アーム１０を開放位置側に付勢することから、その開放動作に必要な操作力は、コイルばね２４の付勢力分だけ、小さくなるとともに、摩擦抵抗も、上記のように従来よりも小さく設定できる。これによって、前後の鍵盤蓋１１，１２を従来よりも小さな操作力で開き始めることができる。さらに、この開き始めにおいて、コイルばね２４の変位量が最大になっていることから、最大の付勢力が得られるので、前後の鍵盤蓋１１，１２の開き始めに必要な操作力を効果的に小さくすることができる。したがって、比較的、大きな面積を有する重量の重い前後の鍵盤蓋１１，１２においても、その開放時の操作性を向上させることができる。
【００３６】
以上のように、中間位置と閉鎖位置の間における前後の鍵盤蓋１１，１２の閉じ終りおよび開き始めにのみ、コイルばね２４の付勢力を作用させることによって、これらの閉じ終りおよび開き始めにおける操作性を効果的に向上させることができる。さらに、上記のように、コイルばね２４の付勢力を常に作用させる必要がなく、上記の限られた範囲でのみ作用させればよいので、コイルばね２４の変位量すなわち作動ストローク量を小さくできることから、鍵盤蓋装置１をコンパクトにできる。また、支持アーム１０および連結機構２０が操作パネル６に取り付けられていることによって、前後の鍵盤蓋１１，１２を開閉するための構造を１箇所にコンパクトにまとめることができる。さらに、前鍵盤蓋１１の回動によって演奏部４が開閉されるので、従来の蛇腹式の鍵盤蓋を備えた電子オルガン２と比べて、楽器本体３の奥行を小さくできる。以上によって、電子オルガン２のコンパクト化を図ることができる。
【００３７】
さらに、メンテナンス時には、操作パネル６と、左操作パネル５ａおよび後鍵盤５とを後方に跳ね上げるように回動させることにより、オルガン本体３の内部が開放される。このとき、支持アーム１０が操作パネル６に取り付けられていることによって、鍵盤蓋１１，１２が操作パネル６とともに後方に回動する。これによって、従来と異なり、鍵盤蓋１１，１２をオルガン本体２から取り外すことなく、メンテナンス作業を行うことができるので、メンテナンス性を向上させることができる。
【００３８】
なお、前述した実施形態においては、本発明の鍵盤蓋装置を電子オルガン２に適用した例について説明したが、鍵盤蓋装置を適用する対象はこれに限らず、例えばシンセサイザや電子オルガン以外のオルガンなどでもよい。また、合成樹脂で構成した軸受２２ｂを用いたが、軸受２２ｂはこれに限らず、例えば金属製の軸受でもよく、回動軸２２ａとの間に所定の摩擦抵抗を持たせることが可能なものであればよい。さらに、鍵盤蓋装置１を適用可能な鍵盤楽器は、２枚の鍵盤蓋１１，１２を備えた鍵盤楽器に限らず、１枚の鍵盤蓋を備えた鍵盤楽器に適用してもよく、３つ以上に分割された鍵盤蓋を有するものに適用してもよい。
【００３９】
また、鍵盤蓋を減速させるための付勢手段としてコイルばね２４を用いたが、付勢手段はコイルばねに限らず、空気ばね、板ばねおよびゴムなど付勢力を作用させるものであればよい。
【００４０】
【発明の効果】
以上のように、本発明の鍵盤楽器の鍵盤蓋装置によれば、鍵盤楽器のコンパクト化を図ることができ、メンテナンス時の作業性および開閉時の操作性をともに向上させることができる。
【図面の簡単な説明】
【図１】本発明の一実施形態に係る鍵盤蓋装置を備えた鍵盤楽器を示す斜視図である。
【図２】図１の鍵盤楽器の側断面図である。
【図３】鍵盤蓋装置の連結機構を示す分解斜視図である。
【図４】図３の連結機構の（ａ）一部を破断した平面図と（ｂ）回動軸および軸受の斜視図である。
【図５】鍵盤蓋が閉鎖位置にある状態を示す側断面図である。
【図６】鍵盤蓋が中間位置にある状態を示す側断面図である。
【図７】後鍵盤機構および操作パネルを開放した状態を示す側断面図である。
【符号の説明】
１    鍵盤蓋装置
２    電子オルガン（鍵盤楽器）
３    オルガン本体（楽器本体）
４    演奏部
５    鍵盤
６    操作パネル（操作パネル部）
１１    前鍵盤蓋（鍵盤蓋）
２２ａ  回動軸
２２ｂ  軸受
２４    コイルばね（付勢手段）
【図１】
0004512215.tif 000002
【図２】
0004512215.tif 000003
【図３】
0004512215.tif 000004
【図４】
0004512215.tif 000005
【図５】
0004512215.tif 000006
【図６】
0004512215.tif 000007
【図７】
0004512215.tif 000008